(57)【要約】【課題】ガス溜まりを無くし、断熱効果を均一にする事が出来ると共に、配線コードを内箱の断熱側面に貼り付けするための手作業をホットプレス溶着して自動化可能にし、発泡充填の際に発生するテープ剥がれを無くし、外箱の外面に発生する露付きを減らして意匠を向上する。【解決手段】内箱の断熱側面に配設する配線コードを貼り付け固定するための粘着剤付きテープを除去してガス溜まりを無くし、フラット状の配線コードを内箱の断熱側面に配設して断熱効果を均一にする事が出来ると共に、配線コードを内箱の断熱側面に貼り付けするための手作業をホットプレス溶着して自動化可能にし、発泡充填の際に発生するテープ剥がれを無くし、外箱の外面に発生する露付きを減らす。【選択図】　図４
2004036924.tif 000002
【特許請求の範囲】
【請求項１】
樹脂製の内箱の断熱側面に熱可塑性樹脂を塗布してコーティング部を形成し、このコーティング部に配設される配線コードをフラット状に仮止めする複数の出没自在ピンと、仮止めした配線コードの高さより低い複数のストッパ凸部と、仮止めした配線コードに予め接続された接続具を仮埋設する接続具埋設凹部とを設けたホットプレス下冶具と、前記内箱のコーティング部を下方に位置して内箱を装着したホットプレス上冶具を構成し、前記ホットプレス下冶具の出没自在ピンに配線コードを仮止め後、その上に内箱を装着したホットプレス上冶具により押圧して、仮止めした配線コードを内箱のコーティング部にフラット状に溶着させ、このフラット状の配線コードが配設された内箱と鋼鈑製の外箱との間隙にウレタンフォーム等の発泡断熱材を充填させて成る断熱箱体を特徴とする冷蔵庫。
【請求項２】
請求項１において、内箱の断熱側面に形成したコーティング部は、ウレタンフォーム等の発泡断熱材と密着する熱可塑性樹脂を塗布した断熱箱体を特徴とする冷蔵庫。
【請求項３】
請求項１において、内箱の断熱側面に塗布した熱可塑性樹脂は、塩化ビニール樹脂又は非塩化ビニール樹脂とした断熱箱体を特徴とする冷蔵庫。
【請求項４】
請求項１において、ホットプレス下冶具に設けた出没自在ピンの機構は、バネ又は圧縮空気等を利用した断熱箱体を特徴とする冷蔵庫。
【請求項５】
請求項１において、ホットプレス上冶具の押圧寸法は、０．２ｍｍとした断熱箱体を特徴とする冷蔵庫。
【請求項６】
請求項１において、ホットプレス下冶具に設けた出没自在ピンは、配線コードを仮配設する際にはストッパ凸部の高さより高く、押圧する時にはホットプレス下冶具に埋設する構造とした断熱箱体を特徴とする冷蔵庫。
【請求項７】
請求項１において、内箱の断熱側面に塗布したコーティング部は、塗布厚さ０．０８〜０．１ｍｍとした断熱箱体を特徴とする冷蔵庫。
【発明の詳細な説明】
【０００１】
【発明の属する技術分野】
本発明は、樹脂製の内箱の断熱側面に配線コードを配設した断熱箱体を特徴とする冷蔵庫に関するものである。
【０００２】
【従来の技術】
最近の冷蔵庫において、冷蔵室・野菜室・冷凍室等に配置する強制循環用モータ・温度感知用センサー・冷却器用霜取りヒーター等の電気部品の配線コードは外箱外に露出させず、内箱の断熱側面に配設されたものが多用されている。このものでは、内箱の断熱側面に配線コードを固定するための粘着剤付きテープで、配線コードを抱くように内箱の複数箇所に貼り付け固定していた。
【０００３】
以下、図面を参照しながら、上述したような従来の内箱の断熱側面に配線コードを配設した断熱箱体を特徴とする冷蔵庫について説明する。
【０００４】
図５〜図６は従来例の樹脂製の内箱の断熱側面に配線コードを配設した断熱箱体を特徴とする冷蔵庫の部分断面図である。
【０００５】
１１は樹脂製の内箱、１２は数カ所に分け束ねた配線コード、１３はこの配線コード１２を抱くように内箱１１の断熱側面１１ａに複数箇所に貼り付け固定した粘着剤付きテープである。
【０００６】
上記構成において、内箱１１の断熱側面１１ａの複数箇所に粘着剤付きテープ１３で束ねた配線コード１２を抱くように貼り付け固定した後、配線コード１２を配設した内箱１１と外箱１４との間隙にウレタンフォーム等の発泡断熱材１５を発泡充填するものである。
【０００７】
尚、１６は発泡断熱材１５を発泡充填時に束ねた配線コード１２と貼り付けた粘着剤付きテープ１３との隙に発生するガス溜まり、１７は発泡断熱材１５を発泡充填時に粘着剤付きテープ１３が発泡圧で剥がれ、配線コード１２の一部が外箱１４発泡断熱面１４ａに接触して、外箱１４の外面１４ｂに発生する露付きである。
【０００８】
【発明が解決しようとする課題】
しかしながら、束ねた配線コードは内箱の断熱側面に複数箇所の粘着剤付きテープにより抱くように貼り付け固定されるため、発泡断熱材を発泡充填時に配線コードと粘着剤付きテープの隙にガス溜まりが発生し、断熱効果が均一にならず断熱材を厚くする必要があった。更に、配線コードを内箱に粘着剤付きテープで貼り付けした後、発泡充填時に発泡圧で粘着剤付きテープが剥がれ、配線コードの一部が外れて外箱の発泡断熱面に接触し外箱の外面に露付きが発生する等、意匠上に影響する問題があった。
【０００９】
本発明は従来技術の上記した欠点に着目し、内箱の断熱側面に配設する配線コードを貼り付け固定するための粘着剤付きテープを除去してガス溜まりを無くし、配線コードをフラット状に内箱の断熱側面に配設して断熱効果を均一にする事が出来ると共に、配線コードを内箱の断熱側面に貼り付けするための手作業を自動化可能にし、発泡断熱材を発泡充填の際に発生するテープ剥がれを無くし、外箱の外面に発生する露付きを減らして意匠を向上させる断熱箱体を特徴とする冷蔵庫を提供することを目的とする。
【００１０】
【課題を解決するための手段】
上記目的を達するため、本発明の樹脂製の内箱の断熱側面に配線コードを配設した断熱箱体を特徴とする冷蔵庫は、樹脂製の内箱の断熱側面に熱可塑性樹脂を塗布してコーティング部を形成し、このコーティング部に配設される配線コードをフラット状に仮止めする複数の出没自在ピンと、仮止めした配線コードの高さより低い複数のストッパ凸部と、仮止めした配線コードに予め接続された接続具を仮埋設する接続具埋設凹部とを設けたホットプレス下冶具と、内箱のコーティング部を下方に位置して内箱を装着したホットプレス上冶具を構成し、ホットプレス下冶具の出没自在ピンに配線コードを仮止め後、その上に内箱を装着したホットプレス上冶具により押圧して、仮止めした配線コードを内箱のコーティング部にフラット状に溶着させ、このフラット状の配線コードが配設された内箱と鋼鈑製の外箱との間隙にウレタンフォーム等の発泡断熱材を充填させて成るものである。
【００１１】
本発明は上記構成によって、内箱の断熱側面に配設する配線コードを貼り付け固定するための粘着剤付きテープを除去してガス溜まりを無くし、フラット状の配線コードを内箱の断熱側面に配設して断熱効果を均一にする事が出来ると共に、配線コードを内箱の断熱側面に貼り付けするための手作業をホットプレス溶着して自動化可能にし、発泡充填の際に発生するテープ剥がれを無くし、外箱の外面に発生する露付きを減らして意匠を向上させる。
【００１２】
【発明の実施の形態】
以下、本発明の第１の実施例について、図１から図４を参考にして説明する。
【００１３】
１は樹脂製の内箱、２はこの内箱１の断熱側面１ａに後記する発泡断熱材と密着する塩化ビニール樹脂又は非塩化ビニール樹脂の熱可塑性樹脂を０．０８〜０．１ｍｍの厚さで塗布して形成したコーティング部、３はこのコーティング部２にフラット状にホットプレス溶着により配設された配線コード、この配線コード３は最初にホットプレス下冶具４に仮止め後、内箱１のコーティング部２を下方に位置して内箱１を装着したホットプレス上冶具５により内箱１のコーティング部２にフラット状に溶着固定されるものである。ホットプレス下冶具４は、配線コード３をフラット状に仮止めする複数の出没自在ピン６と、仮止めした配線コード３の高さより低い複数のストッパ凸部７と、仮止めした配線コード３に接続されたコネクター類の接続具３ａを仮埋設する接続具埋設凹部８とを形成している。尚、出没自在ピン６は、ストッパ凸部７の高さより高く、ホットプレス上冶具５で押圧する時にはホットプレス下冶具４に埋設する構造で、バネ又は圧縮空気等を利用した機構である。
【００１４】
上記構成において、ホットプレス下冶具４の出没自在ピン６に配線コード３を仮止め後、その上に内箱１を装着したホットプレス上冶具５により押圧寸法０．２ｍｍほど押圧して、仮止めした配線コード３を内箱１のコーティング部２にフラット状にホットプレス溶着させ、配線コード３が配設された内箱１と外箱９との間隙にウレタンフォーム等の発泡断熱材１０を充填するものである。
【００１５】
以上のように、ホットプレス下冶具４の出没自在ピン６に配線コード３を仮止め後、その上に内箱１を装着したホットプレス上冶具５により押圧して、仮止めした配線コード３を内箱１のコーティング部２にフラット状にホットプレス溶着させ、配線コード３が配設された内箱１と外箱９との間隙にウレタンフォーム等の発泡断熱材１０を充填させて断熱箱体を形成させるため、内箱の断熱側面に配設する配線コードを貼り付け固定するための粘着剤付きテープを除去してガス溜まりを無くし、フラット状の配線コードを内箱の断熱側面に配設して断熱効果を均一にする事が出来ると共に、配線コードを内箱の断熱側面に貼り付けするための手作業をホットプレス溶着して自動化可能にし、発泡充填の際に発生するテープ剥がれを無くし、外箱の外面に発生する露付きを減らして意匠を向上できるものである。
【００１６】
【発明の効果】
以上のように、本発明は、樹脂製の内箱の断熱側面に熱可塑性樹脂を塗布してコーティング部を形成し、このコーティング部に配設される配線コードをフラット状に仮止めする複数の出没自在ピンと、仮止めした配線コードの高さより低い複数のストッパ凸部と、仮止めした配線コードに予め接続された接続具を仮埋設する接続具埋設凹部とを設けたホットプレス下冶具と、前記内箱のコーティング部を下方に位置して内箱を装着したホットプレス上冶具を構成し、前記ホットプレス下冶具の出没自在ピンに配線コードを仮止め後、その上に内箱を装着したホットプレス上冶具により押圧して、仮止めした配線コードを内箱のコーティング部にフラット状に溶着させ、このフラット状の配線コードが配設された内箱と鋼鈑製の外箱との間隙にウレタンフォーム等の発泡断熱材を充填させて成る断熱箱体を形成させることで、内箱の断熱側面に配設する配線コードを貼り付け固定するための粘着剤付きテープを除去してガス溜まりを無くし、配線コードをフラット状に内箱の断熱側面に配設して断熱効果を均一にする事が出来ると共に、配線コードを内箱の断熱側面に貼り付けするための手作業を自動化可能にし、発泡断熱材を発泡充填の際に発生するテープ剥がれを無くし、外箱の外面に発生する露付きを減らして意匠を向上させる断熱箱体を提供できるものである。
【図面の簡単な説明】
【図１】本発明の第１の実施例を示す図であり、冷蔵庫の断熱箱体の部分断面図。
【図２】本発明の第１の実施例のホットプレス溶着前の部分断面図。
【図３】本発明の第１の実施例のホットプレス溶着時の部分断熱図。
【図４】本発明の第１の実施例のホットプレス下冶具に配線コードを仮止めした部分斜視図。
【図５】従来例を示す図であり、冷蔵庫の断熱箱体の部分断面図。
【図６】従来例を示す図であり、内箱に配線コードを粘着剤付きテープで貼り付けた斜視図。
【符号の説明】
１…内箱、１ａ…断熱側面、２…コーティング部、３…配線コード、３ａ…接続具、４…ホットプレス下冶具、５…ホットプレス上冶具、６…出没自在ピン、７…ストッパ凸部、８…接続具埋設凹部、９…外箱、１０…発泡断熱材。
【図１】
2004036924.tif 000003
【図２】
2004036924.tif 000004
【図３】
2004036924.tif 000005
【図４】
2004036924.tif 000006
【図５】
2004036924.tif 000007
【図６】
2004036924.tif 000008